(57)【特許請求の範囲】
【請求項１】
複数色の画像データの処理を順次実行する処理手段と、
前記処理手段により処理された画像データの処理結果に関する情報を表示する表示手段と、
前記処理手段により、複数色の画像データのうちある色の画像データの処理が完了した場合に、当該色の画像データの処理結果の表示を開始し、次の色の画像データに対する処理が完了した時に当該色の画像データの処理結果の表示が終了するよう調整された表示速度で、当該色の画像データの処理結果に関する情報を、処理順序が次の色の画像データが処理中であることを示す情報として表示し、処理順序が最後の色の画像データの処理が完了した場合には表示速度を調整することなく処理順序が最後の色の画像データの処理結果に関する情報を表示するように前記表示手段を制御する制御手段と、
を有する情報処理装置。
【請求項２】
前記制御手段は、前記処理手段により、複数色の画像データのうち、ある色の画像データの処理が完了した場合に、当該色の画像データの処理結果に関する情報として、当該色の画像データの処理結果に基づく画像を、動画により表示するよう前記表示手段を制御する請求項１記載の情報処理装置。
【請求項３】
前記制御手段は、前記処理手段により、複数色の画像データのうち、ある色の画像データの処理が完了した場合に、当該色の画像データの処理結果に関する情報として、当該色の画像データの処理結果に基づく画像が段階的に表示されるよう前記表示手段を制御する請求項１記載の情報処理装置。
【請求項４】
前記制御手段は、前記処理手段により、複数色の画像データのうち、ある色の画像データの処理が完了した場合に、当該色の画像データの処理結果に関する情報として、当該色の画像データの処理結果に基づく画像の濃度が段階的に濃くなるように表示されるよう前記表示手段を制御する請求項１記載の情報処理装置。
【請求項５】
前記処理手段によって前記複数色の画像データそれぞれの処理が完了するまでに必要な処理時間を算出する算出手段をさらに有し、
前記制御手段は、前記算出手段により算出された処理時間分、前記色の画像データの処理結果に関する情報を、処理順序が次の色の画像データが処理中であることを示す情報として表示するよう前記表示手段を制御する請求項１から４いずれか１項記載の情報処理装置。
【請求項６】
前記制御手段は、複数色の画像データのうちある色の画像データの処理結果に関する情報を表示中に、処理順序が次の色の画像データの処理が完了した場合には、処理順序が次の色の画像データの処理結果に関する情報を、処理順序がさらに次の色の画像データが処理中であることを示す情報として表示するよう前記表示手段を制御する請求項１から４いずれか１項記載の情報処理装置。
【請求項７】
複数色の画像データの処理を順次実行するステップと、
前記複数色の画像データのうち、ある色の画像データの処理が完了した場合に、当該色の画像データの処理結果の表示を開始し、次の色の画像データに対する処理が完了した時に当該色の画像データの処理結果の表示が終了するよう調整された表示速度で、当該色の画像データの処理結果に関する情報を、処理順序が次の色の画像データが処理中であることを示す情報として表示し、処理順序が最後の色の画像データの処理が完了した場合には表示速度を調整することなく処理順序が最後の色の画像データの処理結果に関する情報を表示するように制御するステップと、
をコンピュータに実行させるためのプログラム。
【請求項８】
複数色の画像データの処理を順次実行する処理手段と、
前記処理手段により処理された画像データの処理結果に関する情報を表示する表示手段と、
前記処理手段により、複数色の画像データのうちある色の画像データの処理結果を前記表示手段に表示できる程度に処理が完了した場合に、当該色の画像データの処理結果の表示を開始し、次の色の画像データに対する処理が完了した時に当該色の画像データの処理結果の表示が終了するよう調整された表示速度で、当該色の画像データの処理結果に関する情報を、処理順序が次の色の画像データが処理中であることを示す情報として表示し、処理順序が最後の色の画像データの処理が完了した場合には表示速度を調整することなく処理順序が最後の色の画像データの処理結果に関する情報を表示するように前記表示手段を制御する制御手段と、
を有する情報処理装置。
【発明の詳細な説明】
【技術分野】
【０００１】
本発明は、情報処理装置およびプログラムに関する。
【背景技術】
【０００２】
特許文献１には、ＷＥＢブラウザにおいて描画操作対象画像を仮想的に複数の矩形（セル）に分割し、画像加工処理で画像内容に変更があったセルを計算し、該セルの画像を要求するＨＴＴＰリクエストを発行して、ＨＴＴＰサーバは、要求された領域の加工済み画像を切り取って送信し、ＷＥＢブラウザは、セル画像を受け取って該当する領域に配置して表示を更新することが開示されている。
【先行技術文献】
【特許文献】
【０００３】
【特許文献１】特開２０１０−２６５４２号公報
【発明の開示】
【発明が解決しようとする課題】
【０００４】
情報端末において、画像解析やファイルのダウンロード等のデータの処理を行う際、ユーザの操作による処理の実行指示から、実際に処理が完了するまでの間、データが処理中であることをユーザが把握できるように、プログレスバー等のデータが処理中であることを示す情報を表示領域に表示する場合がある。しかし、プログレスバー等を表示する場合には、表示領域中にプログレスバー等を表示するための領域を設ける必要がある。そのため、例えば、複数のデータを順次処理して、処理が完了したものからその処理結果を表示するような場合、プログレスバー等の表示領域によって表示中の処理結果の視認が妨げられてしまう場合がある。
【０００５】
本発明の目的は、処理が完了しているデータの処理結果に関する情報の視認を妨げることなく、他のデータが処理中であることを把握することが可能な情報処理装置およびプログラムを提供することである。
【課題を解決するための手段】
【０００６】
請求項１に係る本発明は、複数色の画像データの処理を順次実行する処理手段と、
前記処理手段により処理された画像データの処理結果に関する情報を表示する表示手段と、
前記処理手段により、複数色の画像データのうちある色の画像データの処理が完了した場合に、当該色の画像データの処理結果の表示を開始し、次の色の画像データに対する処理が完了した時に当該色の画像データの処理結果の表示が終了するよう調整された表示速度で、当該色の画像データの処理結果に関する情報を、処理順序が次の色の画像データが処理中であることを示す情報として表示し、処理順序が最後の色の画像データの処理が完了した場合には表示速度を調整することなく処理順序が最後の色の画像データの処理結果に関する情報を表示するように前記表示手段を制御する制御手段と、
を有する情報処理装置である。
【０００７】
請求項２に係る本発明は、前記制御手段が、前記処理手段により、複数色の画像データのうち、ある色の画像データの処理が完了した場合に、当該色の画像データの処理結果に関する情報として、当該色の画像データの処理結果に基づく画像を、動画により表示するよう前記表示手段を制御する請求項１記載の情報処理装置である。
【０００８】
請求項３に係る本発明は、前記制御手段が、前記処理手段により、複数色の画像データのうち、ある色の画像データの処理が完了した場合に、当該色の画像データの処理結果に関する情報として、当該色の画像データの処理結果に基づく画像が段階的に表示されるよう前記表示手段を制御する請求項１記載の情報処理装置である。
【０００９】
請求項４に係る本発明は、前記制御手段が、前記処理手段により、複数色の画像データのうち、ある色の画像データの処理が完了した場合に、当該色の画像データの処理結果に関する情報として、当該色の画像データの処理結果に基づく画像の濃度が段階的に濃くなるように表示されるよう前記表示手段を制御する請求項１記載の情報処理装置である。
【００１０】
請求項５に係る本発明は、前記処理手段によって前記複数色の画像データそれぞれの処理が完了するまでに必要な処理時間を算出する算出手段をさらに有し、
前記制御手段は、前記算出手段により算出された処理時間分、前記色の画像データの処理結果に関する情報を、処理順序が次の色の画像データが処理中であることを示す情報として表示するよう前記表示手段を制御する請求項１から４いずれか１項記載の情報処理装置である。
【００１１】
請求項６に係る本発明は、前記制御手段が、複数色の画像データのうちある色の画像データの処理結果に関する情報を表示中に、処理順序が次の色の画像データの処理が完了した場合には、処理順序が次の色の画像データの処理結果に関する情報を、処理順序がさらに次の色の画像データが処理中であることを示す情報として表示するよう前記表示手段を制御する請求項１から４いずれか１項記載の情報処理装置である。
【００１２】
請求項７に係る本発明は、複数色の画像データの処理を順次実行するステップと、
前記複数色の画像データのうち、ある色の画像データの処理が完了した場合に、当該色の画像データの処理結果の表示を開始し、次の色の画像データに対する処理が完了した時に当該色の画像データの処理結果の表示が終了するよう調整された表示速度で、当該色の画像データの処理結果に関する情報を、処理順序が次の色の画像データが処理中であることを示す情報として表示し、処理順序が最後の色の画像データの処理が完了した場合には表示速度を調整することなく処理順序が最後の色の画像データの処理結果に関する情報を表示するように制御するステップと、
をコンピュータに実行させるためのプログラムである。
【００１３】
請求項８に係る本発明は、複数色の画像データの処理を順次実行する処理手段と、
前記処理手段により処理された画像データの処理結果に関する情報を表示する表示手段と、
前記処理手段により、複数色の画像データのうちある色の画像データの処理結果を前記表示手段に表示できる程度に処理が完了した場合に、当該色の画像データの処理結果の表示を開始し、次の色の画像データに対する処理が完了した時に当該色の画像データの処理結果の表示が終了するよう調整された表示速度で、当該色の画像データの処理結果に関する情報を、処理順序が次の色の画像データが処理中であることを示す情報として表示し、処理順序が最後の色の画像データの処理が完了した場合には表示速度を調整することなく処理順序が最後の色の画像データの処理結果に関する情報を表示するように前記表示手段を制御する制御手段と、
を有する情報処理装置である。
【発明の効果】
【００１４】
請求項１に係る本発明によれば、処理が完了しているデータの処理結果に関する情報の視認を妨げることなく、他のデータが処理中であることを把握することが可能な情報処理装置を提供することができる。
【００１５】
請求項２に係る本発明によれば、処理が完了したデータの処理結果を視覚的に把握することが可能な情報処理装置を提供することができる。
【００１６】
請求項３に係る本発明によれば、処理が完了したデータの処理結果を視覚的に把握することが可能な情報処理装置を提供することができる。
【００１７】
請求項４に係る本発明によれば、処理が完了したデータの処理結果を視覚的に把握することが可能な情報処理装置を提供することができる。
【００１８】
請求項５に係る本発明によれば、処理中のデータにおける処理の完了度合いを視覚的に把握することが可能な情報処理装置を提供することができる。
【００１９】
請求項６に係る本発明によれば、いずれのデータを処理しているかを順次視覚的に把握することが可能な情報処理装置を提供することができる。
【００２０】
請求項７に係る本発明によれば、処理が完了しているデータの処理結果に関する情報の視認を妨げることなく、他のデータが処理中であることを把握することが可能なプログラムを提供することができる。
【００２１】
請求項８に係る本発明によれば、処理が完了しているデータの処理結果に関する情報の視認を妨げることなく、他のデータが処理中であることを把握することが可能な情報処理装置を提供することができる。
【図面の簡単な説明】
【００２２】
【図１】本発明の一実施形態における情報処理システムを示す図である。
【図２】本発明の一実施形態における携帯端末装置２０のハードウェア構成を示すブロック図である。
【図３】本発明の一実施形態における携帯端末装置２０の機能構成を示すブロック図である。
【図４】本発明の一実施形態における表示部２４により表示される画面の一例を示す図である。
【図５】本発明の一実施形態におけるバンディング処理結果画像の一例を示す図である。
【図６】本発明の一実施形態におけるバンディング解析処理および解析処理結果の表示のタイミングチャートである。
【図７】本発明の一実施形態におけるバンディング処理結果画像のアニメーション表示の一例を示す図である。
【図８】本発明の一実施形態におけるバンディング解析処理および解析処理結果の表示のタイミングチャートである。
【図９】本発明の一実施形態におけるバンディング処理結果画像のアニメーション表示の一例を示す図である。
【図１０】本発明の一実施形態における携帯端末装置２０の処理の流れを示すフローチャートである。
【図１１】本発明の一実施形態におけるバンディング処理結果画像の他の表示方法の一例を示す図である。
【図１２】本発明の一実施形態におけるバンディング処理結果画像の他の表示方法の一例を示す図である。
【発明を実施するための最良の形態】
【００２３】
次に、本発明の実施の形態について図面を参照して詳細に説明する。図１は本発明の一実施形態の情報処理システムの構成を示す図である。
【００２４】
本実施形態の情報処理システムは、図１に示されるように、端末装置１０と、携帯端末装置２０と、サーバ装置３０とから構成されている。また、端末装置１０と、携帯端末装置２０と、サーバ装置３０とは、それぞれネットワーク回線４０を介して互いに接続されている。なお、図１においては、携帯端末装置２０は、無線によりネットワーク回線４０を介して端末装置１０およびサーバ装置３０と接続されているが、有線により接続されるようにしてもよい。
【００２５】
なお、本実施形態における端末装置１０およびサーバ装置３０は、携帯端末装置２０において処理するためのデータを送信する。また、携帯端末装置２０は、画像情報を表示可能な機能を有しているものであれば、携帯電話機、タブレット端末装置、ノート型のパーソナルコンピュータ、いわゆるＰＤＡ（Personal Digital Assistant）と呼ばれるような携帯情報端末等の各種小型携帯端末装置を利用することができる。
【００２６】
次に、本実施形態の情報処理システムにおける携帯端末装置２０のハードウェア構成を、図２を参照して説明する。本実施形態の携帯端末装置２０は、図２に示されるように、ＣＰＵ１１、メモリ１２、ハードディスクドライブ（ＨＤＤ）等の記憶装置１３、ネットワーク回線４０を介して端末装置１０およびサーバ装置３０との間でデータの送信及び受信を行う通信インタフェース（ＩＦ）部１４、タッチパネルや液晶ディスプレイにより構成されたユーザインタフェース（ＵＩ）装置１５を有する。そして、これらの構成要素は、制御バス１６を介して互いに接続されている。
【００２７】
ＣＰＵ１１は、メモリ１２または記憶装置１３に格納された印刷制御プログラムに基づいて所定の処理を実行して、携帯端末装置２０の動作を制御する。
【００２８】
図３は、上記の印刷制御プログラムが実行されることにより実現される携帯端末装置２０の機能構成を示すブロック図である。
【００２９】
携帯端末装置２０は、図３に示されるように、情報処理部２１と、処理時間算出部２２と、表示制御部２３と、表示部２４とから構成されている。
【００３０】
情報処理部２１は、複数のデータの処理を順次実行する。本実施形態においては、情報処理部２１は、端末装置１０またはサーバ装置３０から送信されたシアン（Ｃ）、マゼンタ（Ｍ）、イエロー（Ｙ）およびブラック（Ｋ）の各色の画像データを複数のデータとして、ＣＭＹＫ各色について、画質のムラ（バンディング）を解析するバンディング解析処理を順次実行する。
【００３１】
なお、本実施形態においては、プリンタ等の画像形成装置により出力された画像の画質のムラ（バンディング）を解析するために、図示しない画像形成装置によって用紙に出力されたＣＭＹＫそれぞれ一色のみで一定濃度で塗り潰された画像（ハーフトーン画像）を原稿とし、このＣＭＹＫそれぞれのハーフトーン画像を読取装置が読み取ることによって得られた複数の画像データをバンディング解析処理の対象としている。また、バンディング解析処理の対象となる画像データは、端末装置１０、サーバ装置３０または図示しない画像形成装置から送信された画像データであってもよいし、携帯端末装置２０において予め保存されている画像データであってもよい。
【００３２】
処理時間算出部２２は、情報処理部２１によって複数のデータそれぞれの処理が完了するまでに必要な処理時間を算出する。本実施形態においては、処理時間算出部２２は、ＣＭＹＫ各色の画像データごとに、バンディング解析処理が完了するまでに必要な処理時間を算出する。
【００３３】
表示制御部２３は、情報処理部２１により、あるデータの処理が完了した場合に、当該データの処理結果に関する情報を、処理順序が次のデータが処理中であることを示す情報として表示するように表示部２４を制御する。本実施形態においては、例えば、Ｃ色のバンディング解析処理が完了した場合に、Ｃ色のバンディング解析処理結果に基づく画像を、処理順序が次の色がバンディング解析処理中であることを示す情報として表示するよう表示部２４を制御する。
【００３４】
また、表示制御部２３は、情報処理部２１により、あるデータの処理が完了した場合に、処理時間算出部２２により算出された処理時間分、当該データの処理結果に関する情報を、処理順序が次のデータが処理中であることを示す情報として表示するよう表示部２４を制御する。
【００３５】
表示部２４は、情報処理部２１により処理されたデータの処理結果に関する情報を表示する。本実施形態においては、表示部２４は、ＣＭＹＫ各色について、バンディング解析処理結果に関する情報を表示する。
【００３６】
次に、本実施形態における携帯端末装置２０の表示部２４において表示される画面の一例について、図４および図５を参照して詳細に説明する。
【００３７】
本実施形態における携帯端末装置２０には、ＣＭＹＫ各色の画像データに対してバンディングに関する解析処理を実行する機能が備わっており、バンディング解析処理を実行する場合、図４に示されるように、表示部２４は、バンディング解析の実行画面を表示する。
【００３８】
そして、バンディング解析画面における「解析開始」のボタンが押下された場合、情報処理部２１は、ＣＭＹＫ各色の画像データに対してバンディング解析処理を順次実行し、表示部２４は、最終的に図５に示されるような、バンディング解析処理結果に関する情報を示す画面を表示する。
【００３９】
図５に示される画面の例では、解析処理結果表示領域６０はＣ色と対応し、解析処理結果表示領域６１はＭ色と対応し、解析処理結果表示領域６２はＹ色と対応し、解析処理結果表示領域６３はＫ色と対応している。また、それぞれの色のバンディング解析処理結果に関する情報として、ＣＭＹＫ各色に対応する解析処理結果表示領域６０〜６３に、それぞれのバンディング解析処理結果に基づく画像をアニメーション（動画）により表示する。具体的には、図５に示されるように、ＣＭＹＫ各色に対応する解析処理結果表示領域６０〜６３において、円の外周に沿う円形バー７１、および３つの直線に沿う直線バー７２〜７４を、開始位置からバンディング解析処理結果に基づいて決定されるそれぞれの到達位置まで伸長させることによって、ＣＭＹＫ各色のバンディング解析処理結果画像のアニメーション表示を行う。なお、円形バー７１および直線バー７２〜７４の色については、解析結果表示領域６０〜６３それぞれにおいて対応する色によって表示されるようにしてもよい。
【００４０】
また、本実施形態においては、バンディング解析処理結果に基づいて、解析処理結果表示領域６０〜６３における円形バー７１および直線バー７２〜７４の到達位置を決定して、円形バー７１および直線バー７２〜７４の開始位置から到達位置までの長さによって、ＣＭＹＫ各色のバンディングの度合いを示している。本実施形態においては、円形バー７１および直線バー７２〜７４それぞれの長さが長いほどバンディングの度合いが大きいことを示している。
【００４１】
具体的には、図５に示されるように、解析処理結果表示領域６０〜６３における直線バー７２〜７４の長さは、それぞれ画像データのプリンタ背部領域（ＩＮ）、中央領域（ＣＥＮ）およびプリンタ前部領域（ＯＵＴ）におけるバンディングの度合いを示す。また、解析処理結果表示領域６０〜６３における円形バー７１の長さは、画像データ全体のバンディングの度合いを示す。また、図５に示されるように、本実施形態においては、ＣＭＹＫ各色ごとに、画像データの左領域（ＩＮ）、中央領域（ＣＥＮ）および右領域（ＯＵＴ）におけるバンディングの度合いに基づいて、画像データ全体のバンディングの度合いを算出して、解析処理結果表示領域６０〜６３における円の内部に算出された画像データ全体のバンディングの度合いの値を表示する。なお、本実施形態では、解析処理結果表示領域６０〜６３における直線バー７２〜７４の長さは、それぞれ画像データのプリンタ背部領域（ＩＮ）、中央領域（ＣＥＮ）およびプリンタ前部領域（ＯＵＴ）におけるバンディングの度合いとしたが、これに限られることなく、例えば、直線バー７２〜７４の長さをそれぞれ画像データの左領域（ＩＮ）、中央領域（ＣＥＮ）および右領域（ＯＵＴ）におけるバンディングの度合いとしてもよい。
【００４２】
次に、本実施形態における表示制御部２３による表示部２４の制御方法について、図６および図７を参照して詳細に説明する。
【００４３】
図６は、本実施形態におけるバンディング解析処理および解析処理結果の表示のタイミングチャートである。また、図７は、バンディング処理結果画像のアニメーション表示の一例を示す図である。
【００４４】
図６に示されるように、情報処理部２１は、解析処理の対象となるＣＭＹＫ各色の画像データに対してバンディング解析処理を順次実行する。本実施形態においては、情報処理部２１は、Ｃ、Ｍ、Ｙ、Ｋの順にバンディング解析処理を実行するよう予め設定されているものとして説明するが、バンディング解析処理を実行する色の順序については適宜設定可能である。
【００４５】
図６に示されるように、バンディング解析処理が実行された場合には、まず、情報処理部２１は、Ｃ色のバンディング解析処理を開始する。そして、Ｃ色のバンディング解析処理が完了した場合、表示制御部２３は、Ｃ色のバンディング解析処理結果画像のアニメーション表示を開始するよう表示部２４を制御するとともに、情報処理装置２１は、Ｍ色のバンディング解析処理を開始する（ｔ１）。具体的には、図７（Ａ）に示されるように、Ｃ色に対応する解析処理結果表示領域６０において、円形バー７１を開始位置から矢印方向に伸長させ、直線バー７２〜７４を開始位置から矢印方向に伸長させるアニメーション表示を開始する。
【００４６】
本実施形態においては、Ｃ色のバンディング解析処理結果画像のアニメーション表示を行う際、表示制御部２３は、Ｃ色のバンディング解析処理結果に基づいて、Ｃ色に対応する解析処理結果表示領域６０における円形バー７１および直線バー７２〜７４の到達位置を決定する。そして、Ｃ色のバンディング解析処理結果画像のアニメーション表示の開始から、処理時間算出部２２によって算出されたＭ色の処理時間分の時間が経過した場合に到達位置に到達するように、円形バー７１および直線バー７２〜７４の伸長速度が調整されたアニメーション表示を行う。なお、Ｃ色以外の色のバンディング解析処理結果画像のアニメーション表示を行う場合についても同様である。
【００４７】
なお、Ｃ色のバンディング解析処理中には、まだ表示すべき処理結果が存在していないため、Ｃ色のバンディング解析処理中においては、表示制御部２３は、バンディング解析処理を行っていることを示す情報として、例えば、プログレスバー等を表示するよう表示部２４を制御するようにしてもよい。また、Ｃ色のバンディング解析処理中にプログレスバー等を表示する場合には、表示制御部２３は、Ｃ色のバンディング解析処理が完了した際に、プログレスバー等の表示を停止して、Ｃ色のバンディング解析処理結果画像の表示を開始するよう表示部２４を制御する。
【００４８】
次に、図６に示されるように、Ｍ色のバンディング解析処理が完了した場合には、表示制御部２３は、Ｍ色に対応する解析処理結果表示領域６１において、Ｍ色のバンディング解析処理結果画像のアニメーション表示を開始する（ｔ２）。そして、情報処理部２１は、Ｙ色のバンディング解析処理を開始する。また、表示制御部２３は、図７（Ｂ）に示されるように、Ｃ色に対応する解析結果表示領域６０における円形バー７１および直線バー７２〜７４を伸長させるアニメーション表示を停止する。この場合、図７（Ｂ）に示されるように、解析結果表示領域６０において、円形バー７１および直線バー７２〜７４がＣ色のバンディング解析処理結果に基づいて決定された到達位置まで到達しており、円形バー７１および直線バー７２〜７４の開始位置から到達位置までの長さによってＣ色のバンディングの度合いを示す画像が表示される。また、図７（Ｂ）に示されるように、Ｃ色のバンディング解析処理結果画像のアニメーション表示を停止した場合には、表示制御部２３は、画像データ全体のバンディングの度合いの値を、解析処理結果表示領域６０における円の内部に表示するよう表示部２４を制御する。なお、本実施形態においては、Ｃ色のバンディング解析処理結果画像のアニメーション表示を停止してから画像データ全体のバンディングの度合いの値を、解析処理結果表示領域６０における円の内部に表示するものとして説明する。しかし、Ｃ色のバンディング解析処理結果画像のアニメーション表示を行う際には、まず、Ｃ色の画像データ全体のバンディングの度合いの値を解析処理結果表示領域６０における円の内部に表示してから、Ｃ色のバンディング解析処理結果画像のアニメーション表示を開始するようにしてもよい。
【００４９】
そして、Ｙ色およびＫ色についても、Ｃ色およびＭ色と同様の処理を行う（ｔ３）（ｔ４）ことにより、図７（Ｃ）に示されるように、ＣＭＹＫ全ての色のバンディング解析処理が完了した場合、各色のバンディング解析処理結果画像が表示される。なお、Ｋ色のバンディング解析処理が完了した場合、Ｋ色に対応する解析結果表示領域６３においては、円形バー７１および直線バー７２〜７４を開始位置から到達位置まで伸長させるアニメーション表示を行わず、円形バー７１および直線バー７２〜７４が、Ｋ色のバンディング解析処理結果に基づいて決定された到達位置に到達している状態のバンディング解析処理結果画像を表示するようにしてもよい。
【００５０】
また、例えば、Ｙ色の処理時間が他の色の処理時間と比較して長時間となる場合、直前に完了したＭ色のバンディング解析処理結果画像のアニメーション表示を分割して行うようにしてもよい。具体的には、図８に示されるように、表示制御部２３は、Ｍ色に対応する解析処理結果表示領域６１において、円形バー７１の伸長を示すアニメーション表示を行うとともに、まず、直線バー７２（ＩＮ）の伸長を示すアニメーション表示を開始する（ｔ６）。この場合、図９（Ａ）に示されるように、Ｍ色に対応する解析処理結果表示領域６１における直線バー７３、７４についてはアニメーション表示を開始しない。
【００５１】
そして、図８に示されるように、一定時間経過後に、直線バー７３（ＣＥＮ）の伸長を示すアニメーション表示を開始する（ｔ７）。この場合、図９（Ｂ）に示されるように、Ｍ色に対応する解析処理結果表示領域６１において、円形バー７１および直線バー７２（ＩＮ）の伸長を示すアニメーション表示を継続しつつ、直線バー７３（ＣＥＮ）のアニメーション表示を開始し、直線バー７４についてはアニメーション表示を開始しない。
【００５２】
そして、図８に示されるように、さらに一定時間経過後には、直線バー７４（ＯＵＴ）の伸長を示すアニメーション表示を開始する（ｔ８）。この場合、図９（Ｃ）に示されるように、Ｍ色に対応する解析処理結果表示領域６１において、円形バー７１、直線バー７２（ＩＮ）および直線バー７３（ＣＥＮ）の伸長を示すアニメーション表示を継続しつつ、直線バー７４（ＯＵＴ）のアニメーション表示を開始する。
【００５３】
次に、本実施形態における携帯端末装置２０の処理の流れについて、図１０に示されるフローチャートを参照して説明する。
【００５４】
まず、携帯端末装置２０は、端末装置１０またはサーバ装置３０から、解析処理の対象となるＣＭＹＫ各色の複数の画像データを受け付ける（ステップＳ１０１）。
【００５５】
次に、情報処理部２１は、受け付けた複数の画像データについてバンディング解析処理を実行する順序を決定する（ステップＳ１０２）。
【００５６】
そして、処理時間算出部２２は、ＣＭＹＫ各色の画像データごとに、バンディング解析処理を完了するまでに必要な処理時間を算出する（ステップＳ１０３）。
【００５７】
また、情報処理部２１は、ステップＳ１０２において決定された順序に基づいて、バンディング解析処理を実行する色を選択する。本実施形態においては、順序ｉ（初期値０）に１を加算し、バンディング解析処理を実行する対象として、順序ｉに対応する色を選択する（ステップ１０４）。例えば、情報処理部２１は、順序ｉ＝１の場合には、Ｃ色をバンディング解析処理を実行する対象として選択し、順序ｉ＝２の場合には、Ｍ色をバンディング解析処理を実行する対象として選択し、順序ｉ＝３の場合には、Ｙ色をバンディング解析処理を実行する対象として選択し、順序ｉ＝４の場合には、Ｋ色をバンディング解析処理を実行する対象として選択する。
【００５８】
次に、表示制御部２３は、バンディング解析処理が完了している色が存在するか否かを判定する（ステップＳ１０５）。まだいずれの色についてもバンディング解析処理が完了していない場合には（ステップＳ１０５においてｎｏ）、ステップＳ１０７に進む。
【００５９】
また、バンディング解析処理が完了している色が存在する場合には（ステップＳ１０５においてｙｅｓ）、表示制御部２３は、順序ｉ−１、即ち、直前にバンディング解析処理が完了した色のバンディング解析処理結果画像のアニメーション表示を開始するよう表示部２４を制御する（ステップＳ１０６）。この時、表示制御部２３は、処理時間算出部２２において算出された順序ｉの処理時間分、順序ｉ−１の色のバンディング解析処理結果画像のアニメーション表示を行うよう表示部２４を制御する。
【００６０】
そして、情報処理部２１は、ステップＳ１０４において選択された順序の色のバンディング解析処理を実行する（ステップＳ１０７）。
【００６１】
次に、情報処理部２１は、バンディング解析処理が完了した場合には、図示しない記憶装置にバンディング解析処理結果を記憶する（ステップＳ１０８）。
【００６２】
そして、情報処理部２１は、最後の順序の色のバンディング解析処理が完了したか否かを判定する。本実施形態においては、ＣＭＹＫの４つの色のバンディング解析処理を順次実行するため、情報処理部２１は、順序ｉが４より小さいか否かを判定する（ステップＳ１０９）。順序ｉが４より小さい場合には（ステップＳ１０９においてｙｅｓ）、ステップＳ１０４に戻って上記処理を繰り返す。
【００６３】
順序ｉが４以上（ステップＳ１０９においてｎｏ）、即ち、最後の順序の色のバンディング解析処理が完了した場合には、表示制御部２３は、最後に完了した色のバンディング解析処理結果画像を表示するよう表示部２４を制御する（ステップＳ１１０）。
【００６４】
なお、本実施形態においては、バンディング解析処理結果に関する情報を、円形バー７１および直線バー７２〜７４の伸長によるアニメーション表示を行うことで、次の順序の色がバンディング解析処理中であることを示す情報として表示するものとして説明したが、次の順序の色がバンディング解析処理中であることを示す情報の表示は、円形バー７１および直線バー７２〜７４の伸長によるアニメーション表示に限定されるものではない。例えば、図１１に示されるように、バンディング解析処理結果に基づいて各色のバンディングの度合いを数値化して、各桁ごとに０〜９までの数字が矢印方向に順次流れるいわゆるスロット表示を行い、スロット表示を停止した際に、各色ごとに数値化されたバンディングの度合いの値が表示されるように制御することで、当該スロット表示を順序が次の色がバンディング解析処理中であることを示す情報として表示するようにしてもよい。図１１に示される例では、Ｙ色のバンディングの度合いの数値がスロット表示されることにより、Ｋ色がバンディング解析処理中であることを示している。
【００６５】
また、図１２に示されるように、バンディング解析処理結果画像の濃度が段階的に濃くなるように表示することで、処理順序が次の色がバンディング解析処理中であることを示す情報として表示するようにしてもよい。図１２に示される例では、解析結果表示領域６２に表示されるＹ色のバンディング解析処理結果画像の濃度を段階的に濃くしていくように表示することにより、Ｋ色がバンディング解析処理中であることを示している。
【００６６】
また、本実施形態においては、バンディング解析処理結果に基づく画像をアニメーション表示するものとして説明したが、バンディング解析処理結果に基づく画像が段階的に表示されるようにしてもよい。具体的には、表示制御部２３は、円形バー７１および直線バー７２〜７４の長さを一定時間経過ごとに更新し、円形バー７１および直線バー７２〜７４が開始位置から到達位置まで段階的に到達するように表示することによって、バンディング解析処理結果に基づく画像が段階的に表示されるよう表示部２４を制御するようにしてもよい。
【００６７】
また、本実施形態においては、情報処理部２１は、ＣＭＹＫ各色の画像データに対するバンディング解析処理を実行するものとして説明したが、複数のデータの処理を順次実行するものであれば、バンディング解析処理に限定されるものではない。
【００６８】
また、本実施形態においては、携帯端末装置２０を情報処理装置の一例として説明したが、複数のデータの処理結果に関する情報を表示する表示手段を備えるものであれば装置の形態に限定されるものではない。
【００６９】
さらに、本実施形態においては、情報処理部２１においてＣＭＹＫ各色のバンディング解析処理が完了するまでに必要な処理時間を算出するものとして説明したが、処理時間を算出しないようにしてもよい。この場合には、表示制御部２３は、バンディング処理結果画像のアニメーション表示を予め定められた時間分行うようにしてもよい。また、ある色のバンディング解析処理結果画像のアニメーション表示中に、処理順序が次の色のバンディング解析処理が完了した場合には、表示制御部２３は、順序が次の色のバンディング解析処理結果画像を、処理順序がさらに次の色がバンディング解析処理中であることを示す情報としてアニメーション表示するよう表示部２４を制御するようにしてもよい。
【００７０】
また、本実施形態においては、バンディング解析処理が完了した場合に、バンディング解析処理結果画像のアニメーション表示を開始するものとして説明した。しかし、ある色のバンディング解析処理結果画像が表示できる程度に処理が完了した場合に、当該色のバンディング処理結果画像を、処理順序が次の色がバンディング解析処理中であることを示す情報として表示するようにしてもよい。例えば、Ｃ色のバンディング解析処理中において、Ｃ色のバンディング解析処理が予め定められた進捗度合いとなった場合に、Ｃ色のバンディング解析処理結果画像のアニメーション表示を開始するようにしてもよい。
【符号の説明】
【００７１】
１０    端末装置
１１    ＣＰＵ
１２    メモリ
１３    記憶装置
１４    通信ＩＦ
１５    ＵＩ装置
１６    制御バス
２０    携帯端末装置
２１    情報処理部
２２    処理時間算出部
２３    表示制御部
２４    表示部
３０    サーバ
４０    ネットワーク
５０    画像データ
６０、６１、６２、６３    解析処理結果表示領域
７１    円形バー
７２、７３、７４    直線バー
【要約】      （修正有）【課題】処理が完了しているデータの処理結果に関する情報の視認を妨げることなく、他のデータが処理中であることを把握する。【解決手段】情報処理部２１は、複数のデータの処理を順次実行する。表示部２４は、情報処理部２１により処理されたデータの処理結果に関する情報を表示する。表示制御部２３は、情報処理部２１によりあるデータの処理が完了した場合に、データの処理結果に関する情報を、処理順序が次のデータが処理中であることを示す情報として表示するように表示部２３を制御する。【選択図】図３【図１】
0005939478.tif 000002
【図２】
0005939478.tif 000003
【図３】
0005939478.tif 000004
【図４】
0005939478.tif 000005
【図５】
0005939478.tif 000006
【図６】
0005939478.tif 000007
【図７】
0005939478.tif 000008
【図８】
0005939478.tif 000009
【図９】
0005939478.tif 000010
【図１０】
0005939478.tif 000011
【図１１】
0005939478.tif 000012
【図１２】
0005939478.tif 000013